(57)【要約】【目的】ジェットパイプ内に負圧が存在する時、使用者が排水弁を駆動するのが困難である問題を解決する水を予め貯蔵するトイレを提供する。【解決手段】本発明は、ジェットパイプとトイレタンクとの間に排水弁が設けられ水を予め貯蔵するトイレを公開しており、トイレタンク内に排水弁と接続する浮球が更に設けられ、前記浮球は、少なくともトイレタンクの水位が最高水位に到達する時、排水弁に上向きの力を加えるように配置され、前記浮球が、排水弁に上向きの力を加えるように更に配置される条件下で、トイレタンク内の水がいかなる水位にある時でも、浮球が受ける浮力は、いずれもトイレタンク内の水が排水弁にもたらす水圧、排水弁の自重及びジェットパイプ内の予め貯蔵した水が最高水位に到達する時に形成される負圧を克服して排水弁を開けることができない。【選択図】図１
2020172842.tif 000002
【特許請求の範囲】
【請求項１】
ジェットパイプとトイレタンクとの間に排水弁が設けられる水を予め貯蔵するトイレであって、
前記水を予め貯蔵するトイレは、トイレタンク内に排水弁と接続する浮球が更に設けられ、前記浮球は、少なくともトイレタンクの水位が最高水位に到達する時、排水弁に上向きの力を加えるように配置され、前記浮球が、前記排水弁に上向きの力を加えるように更に配置される条件下で、トイレタンク内の水がいかなる水位にある時でも、浮球が受ける浮力は、いずれもトイレタンク内の水が排水弁にもたらす水圧、排水弁の自重及びジェットパイプ内の予め貯蔵した水が最高水位に到達する時に形成される負圧を克服して排水弁を開けることができず、
前記ジェットパイプ内の予め貯蔵した水が最高水位に到達する時に形成される負圧の具体的な公式は、
【数９】
2020172842.tif 000011
であり、
ここで、
【数１０】
2020172842.tif 000012
は、予め貯蔵した水の最高水位と貯蔵した水のトラップ水シール面にある水位との差であり、Ｓは、排水弁の受圧面積であることを特徴とする水を予め貯蔵するトイレ。
【請求項２】
前記浮球が排水弁に上向きの力を加えるように更に配置される条件下で、トイレタンク内の水がいかなる水位にある時でも、浮球が受ける浮力は、いずれもトイレタンク内の水が排水弁にもたらす水圧、排水弁の自重及び便器内いっぱいの水且つジェットパイプ内の予め貯蔵した水が最高水位に到達する時に形成される負圧を克服して排水弁を開けることができず、前記便器内いっぱいの水且つジェットパイプ内の予め貯蔵した水が最高水位に到達する時に形成される負圧の具体的な公式は、
【数１１】
2020172842.tif 000013
であり、
ここで、
【数１２】
2020172842.tif 000014
は、予め貯蔵した水の最高水位と便器外縁上表面にある位置との差であることを特徴とする請求項１に記載の水を予め貯蔵するトイレ。
【請求項３】
前記浮球が排水弁に上向きの力を加えるように更に配置される条件下で、トイレタンク内に第一水位が少なくとも存在し、該水位の下、浮球が受ける浮力は、トイレタンク内の水が排水弁にもたらす水圧及び排水弁の自重を克服して、排水弁を開け、前記第一水位は、トイレタンクの最高水位以下であることを特徴とする請求項１又は２に記載の水を予め貯蔵するトイレ。
【請求項４】
前記浮球と排水弁は、引きひもで接続され、引きひもが真っ直ぐである時、浮球は、排水弁に上向きの力を加え、前記引きひもは、少なくともトイレタンクの水位が最高水位に到達する時、真っ直ぐであるように配置されることを特徴とする請求項１に記載の水を予め貯蔵するトイレ。
【請求項５】
前記水を予め貯蔵するトイレは、トイレタンク内に吸気パイプが更に設けられ、該吸気パイプの一端は、ジェットパイプと連通し、他端は、トイレタンクの最高水位に伸び、その上に吸気パイプを開閉して大気と連通するのに用いる吸気弁が設けられることを特徴とする請求項１に記載の水を予め貯蔵するトイレ。
【請求項６】
前記水を予め貯蔵するトイレは、トイレタンク内にハウジングが更に設けられ、前記ハウジングは、ジェットパイプと密封接続され、この筒壁に給水口が設けられ、前記排水弁は、ハウジング内壁とスライド接続し、前記吸気パイプの一端が排水弁を貫通し、排水弁と密封固定接続しており、他端は、トイレタンクの最高水位に伸び、その上に吸気パイプを開閉して大気と連通するのに用いる吸気弁が設けられ、前記浮球は、吸気パイプに固定され、吸気弁を開けた後、前記浮球が排水弁を駆動して上に移動して、給水口とジェットパイプが連通することを特徴とする請求項５に記載の水を予め貯蔵するトイレ。
【請求項７】
前記吸気弁は、重い物体とリフト部材を含み、前記重い物体とリフト部材は接続し、前記吸気パイプは、トイレタンクの最高水位に伸びる一端に開口が設けられ、リフト部材を持ち上げる時、重い物体は、開口から離れて、吸気パイプは、大気と連通し、リフト部材を放す時、重い物体は、下がって開口をブロックして、吸気パイプと大気を隔離することを特徴とする請求項５又は６に記載の水を予め貯蔵するトイレ。
【請求項８】
前記吸気弁は、筒体、上カバー、プラグ、リフト部材とばねを含み、前記筒体と吸気パイプとの間に開孔が設けられ、前記リフト部材とプラグは接続され、前記上カバーは、筒体に固定され、その上にリフト部材又はプラグが貫通するための貫通孔が設けられ、前記ばねは、プラグと上カバーとの間に設けられ、リフト部材を持ち上げる時、プラグは、開孔から離れて、吸気パイプは、大気と連通し、リフト部材を放す時、ばねは戻って、プラグは、開孔をブロックして、吸気パイプと大気を隔離することを特徴とする請求項５又は６に記載の水を予め貯蔵するトイレ。
【請求項９】
前記吸気弁は、プッシュ部材、ばね、プラグとカバー体を含み、前記プッシュ部材は、プッシュ部と接続部を含み、前記カバー体は、吸気パイプに固定され、その上にビアが設けられ、前記接続部は、ビアを貫通して吸気パイプ内に位置するプラグと固定され、前記ばねは、プッシュ部とカバー体との間に設けられ、プッシュ部材を押す時、プラグは、ビアから離れて、吸気パイプは大気と連通し、リフト部材を放す時、ばねは戻って、プラグは、ビアをブロックして、吸気パイプと大気を隔離することを特徴とする請求項５又は６に記載の水を予め貯蔵するトイレ。
【発明の詳細な説明】
【技術分野】
【０００１】
本発明は、衛生陶器の技術分野に関し、具体的には、水を予め貯蔵するトイレに関する。
【背景技術】
【０００２】
先行技術において、普通のサイフォン式トイレのサークル洗浄水道とジェットパイプは連通しており、水洗後、空気がオーバーフローパイプからジェットパイプに入り、ジェットパイプ内部の水は、ジェットパイプ内部の水位が貯蔵した水のトラップ水シールの高さに下がるまで、底部のジェットホールから流れ出す。この時水シール以上のジェットパイプ部は、気体でいっぱいであることから、次の水洗時に、トイレタンクから流れた水は、パイプ内部の気体と混合攪拌して空気を排出するが、この過程には、エネルギー損失が大きく、ノイズが大きく、サイフォン形成が遅い等の問題が存在する。
【０００３】
上記課題を解決するために、ジェットパイプ内に水を予め貯蔵できるトイレが出てきた、即ち、トイレの構造を変更することで、空気をジェットパイプに入らせないようにし、このように、水洗後のジェットパイプ内部は、依然として水でいっぱいであり、上記課題を回避している。
【０００４】
しかしながら、上記ジェットパイプの水を予め貯蔵できるトイレは、上記解決した水を予め貯蔵する課題の他に、水を予め貯蔵するトイレのジェットパイプ内は、水でいっぱいであり、排水弁を閉じた後、空気は、ジェットパイプに入ることができず、排水弁は、ジェットパイプ内に生じた負圧によってジェットパイプの給水口に吸着され、使用者は、大きな力を費やさないと、排水弁を開けることができず、このように、使用者の官能体験を低減するというその他の課題も存在する。
【０００５】
したがって、上記提出された技術課題に鑑みて、先行技術における水を予め貯蔵するトイレは、更に改善する必要がある。
【発明の概要】
【発明が解決しようとする課題】
【０００６】
本発明の目的は、背景技術に存在する上記欠陥や問題を克服することであり、水を予め貯蔵するトイレを提供して、ジェットパイプ内に負圧が存在する時、使用者が排水弁を駆動するのが困難である問題を解決する。
【課題を解決するための手段】
【０００７】
上記目的を達成するために、本発明は、下記技術案を採用する。
【０００８】
第一技術方案は、水を予め貯蔵するトイレに関し、ジェットパイプとトイレタンクとの間に排水弁が設けられ、トイレタンク内に排水弁と接続する浮球が更に設けられ、前記浮球は、少なくともトイレタンクの水位が最高水位に到達する時、排水弁に上向きの力を加えるように配置され、前記浮球が、前記排水弁に上向きの力を加えるように更に配置される条件下で、トイレタンク内の水がいかなる水位にある時でも、浮球が受ける浮力は、いずれもトイレタンク内の水が排水弁にもたらす水圧、排水弁の自重及びジェットパイプ内の予め貯蔵した水が最高水位に到達する時に形成される負圧を克服して排水弁を開けることができず、ジェットパイプ内の予め貯蔵した水が最高水位に到達する時に形成される負圧の具体的な公式は、
【数１】
2020172842.tif 000003
であり、ここで、
【数２】
2020172842.tif 000004
は、予め貯蔵した水の最高水位と貯蔵した水のトラップ水シール面にある水位との差であり、Ｓは、排水弁の受圧面積である。
【０００９】
第一技術方案に基づき、第二技術方案が更に設けられ、第二技術方案では、前記浮球が排水弁に上向きの力を加えるように更に配置される条件下で、トイレタンク内の水がいかなる水位にある時でも、浮球が受ける浮力は、いずれもトイレタンク内の水が排水弁にもたらす水圧、排水弁の自重及び便器内いっぱいの水且つジェットパイプ内の予め貯蔵した水が最高水位に到達する時に形成される負圧を克服して排水弁を開けることができず、前記便器内いっぱいの水且つジェットパイプ内の予め貯蔵した水が最高水位に到達する時に形成される負圧の具体的な公式は、
【数３】
2020172842.tif 000005
であり、ここで、
【数４】
2020172842.tif 000006
は、予め貯蔵した水の最高水位と便器外縁上表面にある位置との差である。
【００１０】
第一又は第二技術方案に基づき、第三技術方案が更に設けられ、第三技術方案では、前記浮球が排水弁に上向きの力を加えるように更に配置される条件下で、トイレタンク内に第一水位が少なくとも存在し、該水位の下、浮球が受ける浮力は、トイレタンク内の水が排水弁にもたらす水圧及び排水弁の自重を克服して、排水弁を開け、前記第一水位は、トイレタンクの最高水位以下である。
【００１１】
第一技術方案に基づき、第四技術方案が更に設けられ、第四技術方案では、前記浮球と排水弁は、引きひもで接続され、引きひもが真っ直ぐである時、浮球は、排水弁に上向きの力を加え、前記引きひもは、少なくともトイレタンクの水位が最高水位に到達する時、真っ直ぐであるように配置される。
【００１２】
第一技術方案に基づき、第五技術方案が更に設けられ、第五技術方案では、前記水を予め貯蔵するトイレは、トイレタンク内に吸気パイプが更に設けられ、該吸気パイプの一端は、ジェットパイプと連通し、他端は、トイレタンクの最高水位に伸び、その上に吸気パイプを開閉して大気と連通するのに用いる吸気弁が設けられる。
【００１３】
第五技術方案に基づき、第六技術方案が更に設けられ、第六技術方案では、前記水を予め貯蔵するトイレは、トイレタンク内にハウジングが更に設けられ、前記ハウジングは、ジェットパイプと密封接続され、この筒壁に給水口が設けられ、前記排水弁は、ハウジング内壁にスライド接続し、前記吸気パイプの一端が排水弁を貫通し、排水弁と密封固定接続しており、他端は、トイレタンクの最高水位に伸び、その上に吸気パイプを開閉して大気と連通するのに用いる吸気弁が設けられ、前記浮球は、吸気パイプに固定され、吸気弁を開けた後、前記浮球が排水弁を駆動して上に移動して、給水口とジェットパイプが連通する。
【００１４】
第五又は第六技術方案に基づき、第七技術方案が更に設けられ、第七技術方案では、前記吸気弁は、重い物体又はリフト部材を含み、前記重い物体とリフト部材は接続し、前記吸気パイプは、トイレタンクの最高水位に伸びる一端に開口が設けられ、リフト部材を持ち上げる時、重い物体は、開口から離れて、吸気パイプは、大気と連通し、リフト部材を放す時、重い物体は、下がって開口をブロックして、吸気パイプと大気を隔離する。
【００１５】
第五又は第六技術方案に基づき、第八技術方案が更に設けられ、第八技術方案では、前記吸気弁は、筒体、上カバー、プラグ、リフト部材とばねを含み、前記筒体と吸気パイプとの間に開孔が設けられ、前記リフト部材とプラグは接続され、前記上カバーは、筒体に固定され、その上にリフト部材又はプラグが貫通するための貫通孔が設けられ、前記ばねは、プラグと上カバーとの間に設けられ、リフト部材を持ち上げる時、プラグは、開孔から離れて、吸気パイプは、大気と連通し、リフト部材を放す時、ばねは戻って、プラグは、開孔をブロックして、吸気パイプと大気を隔離する。
【００１６】
第五又は第六技術方案に基づき、第九技術方案が更に設けられ、第九技術方案では、前記吸気弁は、プッシュ部材、ばね、プラグ又はカバー体を含み、前記プッシュ部材は、プッシュ部と接続部を含み、前記カバー体は、吸気パイプに固定され、その上にビアが設けられ、前記接続部は、ビアを貫通して吸気パイプ内に位置するプラグと固定され、前記ばねは、プッシュ部とカバー体との間に設けられ、プッシュ部材を押す時、プラグは、ビアから離れて、吸気パイプは大気と連通し、リフト部材を放す時、ばねは戻って、プラグは、ビアをブロックして、吸気パイプと大気を隔離する。
【発明の効果】
【００１７】
上記本発明の記述からわかるように、先行技術に対して、本発明は、以下の有益な効果を有する。
【００１８】
１、トイレタンク内に排水弁と接続する浮球が設けられ、該浮球は、少なくともトイレタンクの水位が最高水位に到達する時、排水弁に上向きの力を加えるように配置されるため、該浮球は、排水弁を開ける力の作用を奏することができる。また、該浮球が排水弁に上向きの力を加えるように更に配置される条件下で、トイレタンク内の水がいかなる水位にある時でも、浮球が受ける浮力は、いずれもトイレタンク内の水が排水弁にもたらす水圧、排水弁の自重及びジェットパイプ内の予め貯蔵した水が最高水位に到達する時に形成される負圧を克服できず、したがって、該浮球は、ジェットパイプ内が水でいっぱいである、即ち、ジェットパイプ内の負圧が最大になる時、該浮球は排水弁を駆動して開けることができず、このように、該浮球が排水弁を開ける必要がない時、排水弁を駆動して開けることによる水の浪費を回避できる。
【００１９】
２、該浮球が排水弁に上向きの力を加えるように更に配置される条件下で、トイレタンク内内の水がいかなる水位にある時でも、浮球が受ける浮力は、いずれもトイレタンク内の水が排水弁にもたらす水圧、排水弁の自重及び便器内いっぱいの水且つジェットパイプ内の予め貯蔵した水が最高水位に到達する時に形成される負圧を克服できず、したがって、該浮球は、トイレに詰まりが出てくる、即ち、ジェットパイプ内の負圧が最小になる時、該浮球も排水弁を駆動して開けることができず、このように、浮球が排水弁を開ける必要がない時に、排水弁を駆動して開けて排水して、トイレの水が便器等に溢れ出すことを更に回避する。
【００２０】
３、該浮球が排水弁に上向きの力を加えるように更に配置される条件下で、トイレタンク内に、トイレタンクの最高水位以下である第一水位が少なくとも存在し、該水位の下、浮球が受ける浮力は、トイレタンク内の水が排水弁３にもたらす水圧及び排水弁３の自重を克服でき、該浮球は、ジェットパイプ１内に水は貯蔵していない、即ち、ジェットパイプ内負圧が無い時、排水弁を駆動して開けて、ジェットパイプに水を補充することができる。したがって、この設置は、使用者がトイレを初めて使用する時、手動で、ジェットパイプに水を補充する手間を省かせて、使用者に大きな利便性を提供する。
【００２１】
４、浮球と排水弁は、引きひもで接続され、引きひもを、少なくともトイレタンク水位が最高水位に到達して真っ直ぐにする時、浮球は、排水弁に上向きの力を加えることから、この設置は、排水弁を開ける力を下げる作用を奏することができる。また、該実施方式の浮球と排水弁との間は、１本だけの引きひもで接続されているため、該実施方式は、操作が簡単で、実現しやすい特徴を有する。
【００２２】
５、水を予め貯蔵するトイレは、トイレタンク内に吸気パイプが更に設けられ、該吸気パイプの一端は、ジェットパイプと連通し、他端は、トイレタンク最高水位に伸び、その上に吸気弁が設けられて、吸気弁を開けた後、空気が吸気パイプからジェットパイプに入って、ジェットパイプに気体を補充する方式によって、浮球が排水弁を駆動して開けることができるようになるまで、ジェットパイプ内の負圧を消去する、又は負圧を下げる。したがって、この設置は、排水弁を開けるのが困難であるという課題を解決できる。
【００２３】
６、水を予め貯蔵するトイレは、トイレタンク内にハウジングが更に設けられ、ハウジングは、ジェットパイプと密封接続され、この筒壁に給水口が設けられ、排水弁は、ハウジング内壁とスライド接続し、吸気パイプの一端が排水弁を貫通し、排水弁と密封固定接続しており、他端は、トイレタンクの最高水位に伸び、その上に吸気パイプを開閉して大気と連通するのに用いる吸気弁が設けられ、浮球は、吸気パイプに固定されて、吸気弁を開けた後、空気が吸気パイプからジェットパイプに入って、浮球が排水弁を駆動して上に移動して、排水弁を開けることができるようになるまで、ジェットパイプ内の負圧を消去する、又は負圧を下げて、トイレタンク内の水が給水口からジェットパイプに流れ込んで、ジェットパイプに水を補充することができる。したがって、この設置は、水を予め貯蔵するトイレの排水弁を開けるのが困難であるという課題を解決できる別の具体的な実施方式を提供する。
【００２４】
７、吸気弁は、重い物体とリフト部材を含み、重い物体とリフト部材は接続しており、吸気パイプは、トイレタンクの最高水位に伸びる一端に開口が設けられて、リフト部材が重い物体を持ち上げる時、重い物体は、開口から離れて、吸気パイプは、大気と連通し、リフト部材を放す時、重い物体は、自身の重力下で自然に下がって開口をブロックする。したがって、この設置は、吸気弁の具体的な構造を提供して、吸気弁が吸気パイプを開閉して大気と連通する効果を実現する。
【００２５】
８、吸気弁は、筒体、上カバー、プラグ、リフト部材とばねを含み、筒体と吸気パイプとの間に開孔が設けられ、リフト部材はプラグと接続し、上カバーは、筒体に固定され、その上にリフト部材又はプラグが貫通するための貫通孔が設けられ、ばねは、プラグと上カバーとの間に設けられ、リフト部材が持ち上げられる時、プラグは、開孔から離れ、リフト部材を放す時、ばねは戻って、プラグは、開孔をブロックする。したがって、この設置は、別の吸気弁の具体的な構造を提供して、吸気弁が吸気パイプを開閉して大気と連通する効果を実現する。
【００２６】
９、吸気弁は、プッシュ部材、ばね、プラグとカバー体を含み、カバー体は、吸気パイプに固定され、その上にビアが設けられ、プッシュ部材の接続部は、ビアを貫通して吸気パイプ内に位置するプラグと固定され、ばねは、プッシュ部とカバー体との間に設けられ、プッシュ部材を押す時、プラグは、ビアから離れて、リフトを放す時、ばねは戻って、プラグは、ビアをブロックする。したがって、この設置は、別の吸気弁の具体的な構造を提供して、吸気弁が吸気パイプを開閉して大気と連通する効果を実現する。
【図面の簡単な説明】
【００２７】
本発明の実施形態の技術方案を更に明確に説明するために、以下に実施形態の記述するのに使用する必要がある図面を簡単に紹介する。以下の記述の図面は、本発明の幾つかの実施形態であり、当業者が創造性の勤労を払わない前提の下、これらの図面に基づき、その他の図面を得ることもできるのは明らかである。
【００２８】
【図１】図１は、本発明の実施形態に記載の水を予め貯蔵するトイレの予め水を貯蔵しない時の作業概略図である。
【図２】図２は、本発明の実施形態に記載の水を予め貯蔵するトイレの水を予め貯蔵する時の作業概略図である。
【図３】図３は、本発明の実施形態に記載の水を予め貯蔵するトイレのリフト式吸気弁を開ける時の構造概略図１である。
【図４】図４は、本発明の実施形態に記載の水を予め貯蔵するトイレのリフト式吸気弁を閉じる時の構造概略図２である。
【図５】図５は、本発明の実施形態に記載の水を予め貯蔵するトイレのプッシュ式吸気弁を閉じる時の構造概略図３である。
【図６】図６は、本発明の実施形態に記載の水を予め貯蔵するトイレのプッシュ式吸気弁を開ける時の構造概略図４である。
【図７】図７は、本発明の実施形態２に記載の水を予め貯蔵するトイレ排水弁を閉じる時の断面図である。
【図８】図８は、本発明の実施形態２に記載の水を予め貯蔵するトイレ排水弁を開ける時の断面図である。
【発明を実施するための形態】
【００２９】
以下に本発明の実施形態の図面を結合して、本発明の実施形態の技術方案を明確、完全に記述する。記述する実施形態は、本発明の好ましい実施形態であることは明らかであり、その他の実施形態を排除するものとしてみてはいけない。本発明の実施形態に基づき、当業者は、創造性の勤労を払わない前提の下で得られる全ての実施形態は全て本発明の保護範囲に属する。
【００３０】
本発明の特許請求の範囲、明細書及び上記図面において、別に明確に限定した場合を除き、用語“第一”、“第二”又は“第三”等の使用は、いずれも異なる対象を区別するためであり、特定の順序を記述するためではない。
【００３１】
本発明の特許請求の範囲、明細書及び上記図面において、別に明確に限定した場合を除き、用語“中心”、“横向”、“縦向”、“水平”、“垂直”、“頂”、“底”、“内”、“外”、“上”、“下”、“前”、“後”、“左”、“右”、“時計回り”、“反時計回り”等を使用して、方位又は位置関係を指示することは、図面に示す方位と位置関係に基づいており、本発明を記述及び記述の簡略化のためであり、指す装置又は部材が特定の方位又は特定の方位の構造及び操作を備えなければならないことを指さず、本発明の具体的な保護範囲を限定すると理解することもできない。
【００３２】
本発明の特許請求の範囲、明細書及び上記図面において、別に明確に限定した場合を除き、用語“固定”又は“固定接続”の使用は、広義に理解しなければならず、両者の間に、変位関係及び相対回転関係のいかなる接続方式も無く、取り外し不可能に固定接続すること、取り外し可能に固定接続すること、一体的に接続すること、その他の装置又は部材によって固定接続することを含む。
【００３３】
本発明において、用語“トイレタンクの水位が最高水位に達する”は、トイレタンク内の水が作業水位の最高値に到達したことを指す。
【００３４】
本発明の特許請求の範囲、明細書及び上記図面において、用語“含む”、“有する”及びその他の変形を使用することは、“含むが限定しない”を意図している。
【００３５】
図１〜図６を参照すると、本発明の実施形態に記載の水を予め貯蔵するトイレを示しており、ジェットパイプ１、トイレタンク２、排水弁３、浮球４、吸気パイプ５、吸気弁６及び引きひも７が設けられる。
【００３６】
前記ジェットパイプ１は、トイレ底部を水洗するのに用い、前記排水弁３は、ジェットパイプ１とトイレタンク２との間に設けられる。
【００３７】
前記浮球４は、トイレタンク２内に設けられ、排水弁３と接続しており、本実施形態では、前記浮球４はフロートであり、排水弁３の引きひも７と接続しており、引きひも７は、真っ直ぐである時、浮球４は、排水弁３に上向きの力を加える。
【００３８】
前記引きひも７は、少なくともトイレタンク２の水位が最高水位に到達する時、真っ直ぐであるように配置されるため、引きひも７の長さの配置が長すぎると、トイレタンク２内の水が最高水位に到達するが、引きひも７はまだ真っ直ぐではなくて、フロートは、排水弁に上向きの力を加えることができない場合が出てくる。このように、フロートは、排水弁３を開ける効果を奏することができず、反対に、引きひも７の長さの配置が短すぎると、トイレタンク２内の水位は、一定の高さに到達していない時、引きひも７は、真っ直ぐの状態であり、排水弁３を駆動して開けて、ジェットパイプ１内に水が入ると同時に空気も入ってしまう可能性があり、引きひも７と浮球４はそれぞれ配置する必要がある。
【００３９】
前記浮球４は、少なくともトイレタンク２の水位が最高水位に到達する時、排水弁３に上向きの力を加えるように配置され、排水弁３に上向きの力を加える条件下で、トイレタンク２内の水がいかなる水位にある時でも、浮球４が受ける浮力は、いずれもトイレタンク２内の水が排水弁３にもたらす水圧、排水弁３の自重及びジェットパイプ１内の予め貯蔵した水が最高水位に到達する時に形成される負圧を克服して排水弁３を開けることができず、ジェットパイプ１内の予め貯蔵した水が最高水位に到達する時に形成される負圧の具体的な公式は、
【数５】
2020172842.tif 000007
であり、ここで、
【数６】
2020172842.tif 000008
は、予め貯蔵した水の最高水位と貯蔵した水のトラップ水シール面にある水位との差であり、Ｓは、排水弁３の受圧面積である、即ち、浮球のジェットパイプ内の負圧が最大になる時、排水弁を駆動して開けることができない。
【００４０】
前記浮球４が排水弁３に上向きの力を加えるように更に配置される条件下で、トイレタンク２内の水がいかなる水位にある時でも、浮球４が受ける浮力は、いずれもトイレタンク２内の水が排水弁３にもたらす水圧、排水弁３の自重及び便器内いっぱいの水且つジェットパイプ１内の予め貯蔵した水が最高水位に到達する時に形成される負圧を克服して排水弁３を開けることができず、前記便器内いっぱいの水且つジェットパイプ１内の予め貯蔵した水が最高水位に到達する時に形成される負圧は、
【数７】
2020172842.tif 000009
であり、ここで、
【数８】
2020172842.tif 000010
は、予め貯蔵した水の最高水位と便器外縁上表面にある位置との差であり、即ち、ジェットパイプ内の負圧が最小まで下がる時、浮球も排水弁を駆動して開けることができない。
【００４１】
前記浮球４が排水弁３に上向きの力を加えるように更に配置される条件下で、トイレタンク２内に、第一水位が少なくとも存在し、該水位の下、浮球４が受ける浮力は、トイレタンク内の水が排水弁３にもたらす水圧及び排水弁３の自重を克服して排水弁３を開けることができず、前記第一水位は、トイレタンク２の最高水位以下である、即ち、ジェットパイプ１内に負圧が無い、又は負圧が消失する時、浮球４は、排水弁３を駆動して開けて、ジェットパイプ１に水を補充することができない。
【００４２】
注意する必要があるのは、浮球４の体積を配置する時、浮球４の体積の配置を大きくしすぎると、ジェットパイプ１内の負圧が最大になる時、浮球４は、排水弁３を駆動して開けることができる場合が出てきて、このように、水資源を浪費することになる。反対に、浮球４の体積の配置を小さくしすぎると、ジェットパイプ１内に負圧がない時、浮球が排水弁３を駆動して開けることができない場合が出てくる。
【００４３】
前記吸気パイプ５は、トイレタンク２内に設けられ、その一端は、ジェットパイプ１と連通し、他端は、トイレタンク２の最高水位に伸びる。
【００４４】
前記吸気弁６は、吸気パイプ５がトイレタンク２の最高水位に伸びる一端に設けられ、吸気パイプ５を開閉して大気と連通するのに用いる。本実施形態では、前記吸気弁６は、リフト式又はプッシュ式構造であってもよい。
【００４５】
図２〜図４に示すように、吸気弁６がリフト式吸気弁である時、重い物体６１とリフト部材６２から構成されてもよく、重い物体６１とリフト部材６２は接続している。リフト部材６２を持ち上げる時、重い物体６１は、トイレタンク２の最高水位に伸びる一端に設けられた吸気パイプ５の開口５１から離れて、吸気パイプ５は、大気と連通し、リフト部材６２を放す時、重い物体６１が落下し、開口５１をブロックされる。
【００４６】
吸気弁６がリフト式構造である時も、筒体６３、上カバー６４、プラグ６１、リフト部材６２、ばね６５と密封ガスケット６８から構成してもよく、筒体６３と吸気パイプ５との間に開孔５１が設けられ、リフト部材６２とプラグ６１は、プラグ６１頂部に設けられた接続孔６１１によって接続され、上カバー６４は、筒体６３に固定され、その上にリフト部材６２又はプラグ６１が貫通するための貫通孔６４１が設けられ、ばね６５は、プラグ６１底部に形成されるボス６１２と上カバー６４との間に設けられ、密封ガスケット６８は、プラグ６１底部に固定され、筒体６３には密封ガスケット６８に対応するリング状突起が設けられ、密封ガスケット６８とリング状突起とを密封抵接する時、開口５１をブロックされる。リフト部材６２を持ち上げる時、ばね６５は押し込まれて、プラグ６１と密封ガスケット６８は、上に移動してリング状突起から離れて、筒体６３の側部に設けられた吸気口６３１は、大気と連通し、リフト部材６２を放す時、ばね６５は戻って、密封ガスケット６８とリング状突起とを抵接し、開孔５１をブロックされ、吸気パイプ５と大気を隔離する。
【００４７】
図５と図６に示すように、吸気弁６がプッシュ式構造である時、プッシュ部材６６、ばね６５、プラグ６１とカバー体６７から構成してもよく、前記プッシュ部材６６は、プッシュ部６６１と接続部６６２を含み、カバー体６７は、吸気パイプ５に固定され、その上にビア６７１が設けられ、前記接続部６６２は、ビア６７１を貫通して吸気パイプ５内に位置するプラグ６１と固定され、前記ばね６５は、接続部６６２外周に形成される凸リング６６２０とカバー体６７との間に接続され、プッシュ部材６６を押す時、プラグ６１は、ビア６７１から離れて、吸気パイプ５は大気と連通し、リフト部材６２を放す時、ばね６５は戻って、プラグ６１は、ビア６７１をブロックして、吸気パイプ５と大気を隔離する。
【００４８】
使用者がトイレを初めて使用する時、ジェットパイプ１内に水は貯蔵しておらず、トイレタンク２内の水位が一定の高さまで上がる時、浮球４が排水弁３を駆動して開けて、トイレタンク２内の水がジェットパイプ１内に流れ込み、トイレタンク２内の水位が一定の高さまで下がる時、排水弁３が下がって閉まる。
【００４９】
ジェットパイプ１内の水がいっぱいの時、吸気弁６を開けて、吸気パイプ５は、大気と連通し、空気がジェットパイプ１内に速やかに入って、ジェットパイプ１内の負圧が消失する、又は負圧が下がって、浮球４が排水弁３を駆動して開ける。
【００５０】
図７と図８を参照すると、実施形態２の水を予め貯蔵するトイレと実施形態１との差異は、トイレタンク２内にハウジング８が更に設けられ、ハウジング８は、ジェットパイプ１と密封接続され、この筒壁に給水口８１が設けられ、排水弁３は、ハウジング８内壁とスライド接続し、吸気パイプ５の一端が排水弁３を貫通し、排水弁３と密封固定接続しており、他端は、トイレタンク２の最高水位に伸び、その上に吸気パイプ５を開閉して大気と連通するのに用いる吸気弁６が設けられ、浮球４は、吸気パイプ５に固定されることである。本実施形態では、浮球４はフロートである。
【００５１】
使用者が、吸気弁６を開けた後、浮球４が排水弁３を駆動して上に移動して、給水口８１とジェットパイプ１が連通する。
【００５２】
上記明細書と実施形態の記述は、本発明の保護範囲を説明するためであり、本発明の保護範囲の限定を構成しない。本発明又は上記実施形態の教示によって、当業者は、公知常識、本分野の普通の技術知識及び／又は先行技術を結合して、適切な論理的分析、推知又は限られた実験によって、本発明の実施形態又はその一部の技術特徴の補正、等価置換又はその他の変更を得ることは、いずれも本発明の保護範囲内に含まれる。
【産業上の利用可能性】
【００５３】
ジェットパイプ内に負圧が存在する時、使用者が排水弁を駆動するのが困難である問題を解決する水を予め貯蔵するトイレを提供する。
【符号の説明】
【００５４】
１：ジェットパイプ
２：トイレタンク
３：排水弁
４：浮球
５：吸気パイプ
５１：開口／開孔
６：吸気弁
６１：重い物体／プラグ
６１１：接続孔
６１２：ボス
６２：リフト部材
６３：筒体
６３１：吸気口
６４：上カバー
６４１：貫通孔
６５：ばね
６６：プッシュ部材
６６１：プッシュ部
６６２：接続部
６６２０：凸リング
６７：カバー体
６７１：ビア
６８：密封ガスケット
７：引きひも
８：ハウジング
８１：給水口
【図１】
2020172842.tif 000015
【図２】
2020172842.tif 000016
【図３】
2020172842.tif 000017
【図４】
2020172842.tif 000018
【図５】
2020172842.tif 000019
【図６】
2020172842.tif 000020
【図７】
2020172842.tif 000021
【図８】
2020172842.tif 000022